(57)【特許請求の範囲】
【請求項１】
可視表面を岩石状に形成し、その内側に空洞部を設けた植物の植込み用の岩石状植栽具において、
植物を植え込むための植込み穴が、主植込み穴と、その周りに形成された複数の副植込み穴と、前記主植込み穴及び複数の副植込み穴を連通する連絡通道と、から成り、
前記主植込み穴の直径は、前記副植込み穴の直径及び前記連絡通道の幅より大きく、
前記空洞部には土壌が収容され、
前記主植込み穴、前記連絡通道、及び前記副植込み穴は、平面視できる位置に配置されることを特徴とする岩石状植栽具。
【請求項２】
前記岩石状植栽具は、上側部分と下側部分とに分割でき、
前記主植込み穴、前記副植込み穴及び前記連絡通道は前記下側部分に形成されることを特徴とする請求項１記載の岩石状植栽具。
【請求項３】
前記主植込み穴の直径は１５ｃｍ以上であり、前記副植込み穴の直径及び前記連絡通道の幅は、３〜１０ｃｍの範囲であることを特徴とする請求項１又は請求項２記載の岩石状植栽具。
【発明の詳細な説明】
【技術分野】
【０００１】
本発明は、可視表面に自然の岩石の形状および外観を備えた岩石状植栽具に関する。
【背景技術】
【０００２】
従来より、洋風ガーデニングや園芸において、鉢やプランタを用いて草花などの植物を栽培することが行われている。この際に使用される鉢やプランタの多くは人工的な印象を観る者に与えることを避けられない。そこで、景観の向上を図って自然石を使った園芸方法や、岩石状の植栽具を用いた方法がある。この場合、あたかも岩石から草木が生えているように見えて装飾的効果が大きくなる。
【０００３】
そして、少なくとも背面を開放した植栽具本体に複数の植栽用植物の植込み部を形成することで、庭石に草花や樹木を容易に配設できる岩石状植栽具が開示されている（例えば、特許文献１参照）。
【０００４】
また、内部スペースに培養土収容部を形成することで、少量の培養土で植栽を可能とし、植え替えや移設の容易性に優れた岩石状植栽具も開示されている（例えば、特許文献２参照）。さらに、自然風景になじみ、安価で強度に優れる岩石景観体及びそれを用いた植樹方法も開示されている（例えば、特許文献３参照）。
【先行技術文献】
【特許文献】
【０００５】
【特許文献１】特許第３５３８０７９号
【特許文献２】特開２００６−１５８３１５号公報
【特許文献３】特許第２５７２１９８号
【発明の概要】
【発明が解決しようとする課題】
【０００６】
しかしながら、上記特許文献に示す岩石状植栽具では、可視表面に植栽用植物の植込み部が多数（例えば十数個）形成されているため、各植込み部に鉢底石、不織布、土壌、及び所望の植物を植え込む必要があり、植物の植込み作業に手間と時間を要するという問題がある。
【０００７】
また、上記特許文献１に示す岩石状植栽具では、岩石状植栽具の傾斜部あるいは垂直部に位置している箇所に植物の根鉢相当の大きさの植込み穴部が設けられるため、植込み終了後の潅水で内部の培養土が流出してしまい、結果として、これら傾斜部あるいは垂直部での植込み穴の形成は困難であるという問題もある。
【０００８】
本発明は、上記課題に鑑みてなされたものであり、植物の植込み時の作業者の手間を軽減し、且つ傾斜部や垂直部においても内部に収容された培養土が流出することを適切に防止できる岩石状植栽具を提供することを目的とする。
【課題を解決するための手段】
【０００９】
上記目的を達成するため本発明は、可視表面を岩石状に形成し、その内側に空洞部を設けた植物の植込み用の岩石状植栽具において、植物を植え込むための植込み穴が、主植込み穴と、その周りに形成された複数の副植込み穴と、前記主植込み穴及び複数の副植込み穴を連通する連絡通道と、から成り、前記主植込み穴の直径は、前記副植込み穴の直径及び前記連絡通道の幅より大きく、前記空洞部には土壌が収容され、前記主植込み穴、前記連絡通道、及び前記副植込み穴は、平面視できる位置に配置されることを特徴とする。
【００１０】
また、この岩石状植栽具において、前記岩石状植栽具は、上側部分と下側部分とに分割でき、前記主植込み穴、前記副植込み穴及び前記連絡通道は前記下側部分に形成されることが好ましい。
【００１１】
また、この岩石状植栽具において、前記主植込み穴の直径は１５ｃｍ以上であり、前記副植込み穴の直径及び前記連絡通道の幅は、３〜１０ｃｍの範囲であることが好ましい。
【発明の効果】
【００１２】
本発明に係る岩石状植栽具によれば、可視表面が自然石の形状及び外観を模して成形さ
れ、植物を植え込む主植込み穴、及び複数の副植込み穴が連絡通道を介して連通するよう
に形成されている。また、主植込み穴の直径は、副植込み穴の直径及び連絡通道の幅より大きく、空洞部には土壌が収容され、主植込み穴、連絡通道、及び副植込み穴は、平面視できる位置に配置される。このため、植物の植込み時の作業者の手間を軽減し、且つ傾斜部や垂直部においても内部に収容された培養土が流出することを適切に防止できる。
【図面の簡単な説明】
【００１３】
【図１】本発明の実施の形態１に係る岩石状植栽具の斜視図である。
【図２】同上岩石状植栽具の側面図である。
【図３】同上岩石状植栽具の平面図である。
【図４】（ａ）〜（ｅ）同上岩石状植栽具を用いた作業時の様子を説明するための図である。
【図５】（ａ）〜（ｃ）同上岩石状植栽具を用いた作業時の様子を説明するための断面図である。
【図６】（ａ）同上岩石状植栽具の使用状態を示す断面図、（ｂ）同上岩石状植栽具の他の使用状態を示す断面図である。
【図７】本発明の実施の形態２に係る岩石状植栽具の断面図である。
【図８】（ａ）同上岩石状植栽具の平面図、（ｂ）同上岩石状植栽具の使用状態を示す断面図である。
【発明を実施するための形態】
【００１４】
本発明の実施の形態に係る岩石状植栽具について図面を参照して説明する。
（実施の形態１）
図１乃至図６は、本実施の形態１に係る岩石状植栽具１（以下、植栽具と記す）を示しており、ＦＲＰ（Fiber Reinforced Plastics）樹脂を原料に用いて成形したものである。この植栽具１は、自然の岩石の形状、外観に模した可視表面を有し、その内側に土壌を収容するための空洞部が設けられている。
【００１５】
植栽具１には、主植込み穴１a、連絡通道１ｂ、及び副植込み穴１ｃとから成る植込み穴が形成されている。主植込み穴１ａは、植栽する植物の根鉢を植栽具１の本体の内部に入れるために設けられ、使用する植物の根鉢部分の土をけずりおとさなくても容易に植栽具１に植え込むことができるような大きさを有する。主植込み穴１ａの大きさは、植栽具１の大きさにより、又は植栽する花株の大きさにより異なることとなるが、少なくとも直径１５ｃｍ以上が望ましい。なお、植栽具１が樹木等を利用する大型のものの場合、主植込み口１ａの直径が３０〜５０ｃｍになる事もある。
【００１６】
連絡通道１ｂは、主植込み穴１ａと副植込み穴１ｃとの間の通道であり、主植込み穴１ａにて植え込まれた花株が所望の副植込み穴１ｃに移動できるように主植込み穴１ａと副植込み穴１ｃとを繋いでいる。連絡通道１ｂの幅は、植栽具１の岩石状の可視表面１ｄの風合いを損なわないように小さくする必要があり、例えば約３〜５ｃｍ位が望ましい。この幅にすることで、植栽具１の傾斜部や垂直部において内部に収容された培養土が流出することを適切に防止できる。
【００１７】
副植込み穴１ｃは、植栽する植物の根鉢を植えるため複数個所において形成され、連絡通道１ｂを介して主植込み穴１ａと通道されている。副植込み穴１ｃの直径は連絡通道１ｂの幅と同じぐらい、又は少し大きい位が適当である。特に、植栽具１の傾斜面又は垂直面に配置された副植込み穴１ｃ及び連絡通道１ｂは、内部に収容される培養土が潅水時に流出することを防止するため、できるだけ幅や直径を少なくする必要がある。なお、培養土流出防止には、傾斜面（オーバーハングを含む）又は垂直面の場合、連絡通道１ｂの内側部分にマット状あるいは板状部材を添設する事により、流出防止効果を増大させる事ができる。
【００１８】
植込み穴自体の形状は、図３に示す形状に限定されるものではなく、植栽具１の形状、可視表面１ｄの凹凸形状などにより、表面の風合いを損なわないように、又は植物の植栽後の植栽具１の全体のデザインを考慮に入れながら、全体の位置や大きさが決められる。
【００１９】
植栽具１の大きさは様々であり、一般的な草花を植え込む場合には、例えば平面視で直径約５０〜１００ｃｍとなり、この場合の連絡通道１ｂの幅は約３〜５ｃｍの範囲となる。また、植栽具１に植え込まれる植物が樹木などを想定した場合、植栽具１は直径が１ｍを超える大型のものとなり、主植込み穴１ａの直径は３０〜５０ｃｍ、連絡通道１ｂ及び副植込み穴１ｃの幅や直径が１０ｃｍ程となる。
【００２０】
次に、植栽具１の成型方法に関して説明する。植栽具１は、シリコン樹脂などの内型にガラス繊維骨材を敷き、ハケを用いて不飽和ポリエステルを原料としたＦＲＰ樹脂を多重積層してゆき成型される。そして、植栽具１の外殻を成形した後、植込み穴となる形状が切り抜かれる。このＦＲＰ樹脂を用いることにより、植栽具１を、金属材料よりも強度が大きく、軽量化が可能に、また、巨大な成形品の製作が可能となる。なお、ＦＲＰ樹脂には、灰色、灰黄色、黄緑色などの岩石色に応じた顔料が練り込まれ、植栽具１の表面色を岩石色にしている。
【００２１】
次に、植栽具１を用いた植物の植込み時の作業に関して説明する。図４（ａ）で図示するように、植物６の根鉢部を主植込み穴１ａの中に入れる。主植込み穴１ａは、使用する植物６によって異なるがおおむね直径１５ｃｍ以上あるため、通常の草花の根鉢部分はくずさなくても収容できる。この状態を断面図で示すと図５（ａ）になる。
【００２２】
次に、図４（ｂ）に示すように、植物６を所望の副植込み穴１ｃの場所へ連絡通道１ｂを通して移動させて定植する。そして、作業者は、培養土を大きく開口している主植込み穴１ａの部分から副植込み穴１ｃの箇所に入れ込み、植物６の根鉢周辺に丁寧に詰め込む。そして、図４（ｃ）〜図４（ｅ）に示すように、これらの作業を繰り返す。その際の断面図を図５（ｂ）に示す。そして、所望の副植込み穴１ｃの全てに植物６を植え込んだ後、最後に大きく開口した主植込み穴１ａに適当数の植物６を植え込んで培養土を補充して植込み作業を完了する。
【００２３】
なお、植栽具１において、花株の大きい完成株を植え込めば、連絡通道１ｂにも花株が覆いかぶさり、連絡通道１ｂの切込み口は全く見えないため、岩から美しい花株が群生して咲いているように見え、極めて完成度の高い花飾りとしての植栽具１を簡易な作業で提供できる。
【００２４】
また、植栽具１に多くの花株を群植して豪華な出来上がりにするためには、連絡通道１ｂを枝分けし、その先端の副植込み穴１ｃの数を増やすと共に、連絡通道１ｂの途中にも植栽する。このことで、植栽具１は、多数の草花が群植された極めて豪華な出来上がりとなる。
【００２５】
次に、植栽具１の使用状態の詳細に関して説明する。図６に示すように、植栽具１内部の空洞部には、底面に鉢底石２が敷き詰められ、鉢底石２の下から上にかけ不織布３が敷かれ、その上に培養土などの土壌４が盛り込まれる。
【００２６】
鉢底石２は、例えば大粒の軽石などを使い、貯水の役割をする。不織布３は、植栽具１の本体の底部に溜まった水を吸い上げると共に、土壌４が鉢底石２と混合しない境界の役目もする。排水穴５は、植栽具１の不織布３の高さに形成された穴であり、貯水のオーバフローの役目をする。
【００２７】
また、図６（ｂ）に示すように、植栽具１のサイズが大きい場合には、植栽具１内部の空洞部に土壌４を収納すると植栽具１自体が非常に重くなるため、空洞部に仕切り板７が設けられる。そして、仕切り板７の上に、鉢底石２、不織布３、及び土壌４を収容することで、植栽具１の軽量化を図ることができる。この仕切り板７は、植栽具１と同じＦＲＰ樹脂によって形成される。
【００２８】
以上のように、本実施の形態１に係る植栽具１においては、可視表面１ｄに自然石の形状及び外観を模して成形され、植物を植え込むための１箇所に形成された主植込み穴１ａ、及び複数個所に形成された副植込み穴１ｃが連絡通道１ｂを介して連設される。この植栽具１を用いることで、植物の植込みの際の作業者の手間を軽減し、且つ副植込み穴１ｃの直径や連絡通道１ｂの幅を約３〜１０ｃｍにすることで傾斜部や垂直部においても内部に収容された培養土が流出することを適切に防止できる。
【００２９】
また、植栽具１を用いることで、自然風の景観を損なうことがなく、ベランダ、庭園、屋上など様々な場所へ設置ができる。さらに、植栽具１を使用する必要がないときには、植込み穴を底面側にすれば、自然石の外観となり庭園の美観を低下させることがない。
【００３０】
（実施の形態２）
本発明の実施の形態２に係る植栽具１に関して説明する。図７に示すように、本実施の形態２に係る植栽具１は、植込み穴を有しない上側部分１１と、植込み穴を有する下側部分１２とに分割可能である。
【００３１】
植栽具１では、下側部分１２に鉢底石２、不織布３、及び土壌４を収納して植物６を植栽した後、取り外していた上側部分１１を載置する。この場合、分割される上側部分１１と下側部分１２との接合部は、岩石の凹凸部の境目で分割され、この接合部近くに植物６を植え込むことで接合部が目立たないようにする工夫が施されている。
【００３２】
このように、本実施の形態２に係る植栽具１においては、上述した実施の形態１の効果に加えて、図８（ａ）に示すように、植栽具１を上側部分１１及び下側部分１２に分割することにより下側部材１２の主植込み口１ａが極めて大きく開口できるため、培養土のつめこみや植物の植込み作業が極めて容易となり作業性を向上できる。
【００３３】
なお、上側部分１１は、必ずしも下側部分１２と接合することは必須ではなく、大きく開口した主植込み穴１ａの一部に蓋をかぶせるように上側部分１１を載置し、岩石状の可視部分を多くし美観を増大させることができる。この場合、上側部分１１は、下側部分１２と外観が同質の岩石状であり、上側部分１１を大きく開口した主植込み穴１ａの全部又は一部に載置した後は上側部分１１及び下側部分１２が一体となった岩石状の景観となるようにデザインされている。
【００３４】
なお、本発明は、上記実施形態の構成に限られず、発明の趣旨を変更しない範囲で種々の変形が可能である。例えば、植栽具１の原料はＦＲＰ樹脂以外も使用可能であり、植栽具１の分割は上下の２つに限定されるものではなく、持ち運びを容易化するために３つ以上に分割しても良い。
【符号の説明】
【００３５】
１  岩石状植栽具
１ａ  主植込み穴
１ｂ  連絡通道
１ｃ  副植込み穴
１ｄ  可視表面
２  鉢底石
３  不織布
４  土壌
５  排水穴
６  植物
７  仕切り板
８  接合部材
９  固定用棒
１１  上側部分
１２  下側部分
【要約】
【課題】植物の植込み時の作業者の手間を軽減し、且つ傾斜部や垂直部においても内部に収容された培養土が流出することを適切に防止できる岩石状植栽具を提供する。
【解決手段】岩石状植栽具１は、自然の岩石の形状、外観に模した可視表面１ｄを有し、植物を植え込むための植込み穴が、主植込み穴１ａと、その周りに形成された複数の副植込み穴１ｃと、主植込み穴１ａ及び複数の副植込み穴１ｃ連通する連絡通道１ｂと、から成る。この岩石状植栽具１を用いることで、植物の植込み時の作業者の手間を軽減し、且つ傾斜部や垂直部においても内部に収容された培養土が流出することを適切に防止できる。
【選択図】図１【図１】
0004701317.tif 000002
【図２】
0004701317.tif 000003
【図３】
0004701317.tif 000004
【図４】
0004701317.tif 000005
【図５】
0004701317.tif 000006
【図６】
0004701317.tif 000007
【図７】
0004701317.tif 000008
【図８】
0004701317.tif 000009